(57)【要約】【課題】改良されたファスナ支持具及び支持カラー、ファスナアセンブリ、支持カラー及びアセンブリのストリップ、並びにファスナ打ち込み工具を提供する。【解決手段】ファスナアセンブリは、細長いファスナと、ファスナに装着される支持カラーと、を備えており、支持カラーは、ファスナの両側面において互いに対して非対称の輪郭を有するように形作られる。非対称は、ファスナの両側にある凹部の数、形状、位置又はサイズにおいて非対称であってよい。複数のファスナアセンブリが、ファスナストリップとして提供されてよく、ファスナストリップでは、各支持カラーは、ストリップ内で１つの又は２つの隣接する支持カラーに結合されている。【選択図】図４Ａ
2011058627.tif 000002
【特許請求の範囲】
【請求項１】
細長いファスナと、前記ファスナに装着される支持カラーと、を備えており、前記支持カラーは、前記ファスナの両側面で互いに対して非対称性を備える輪郭を有するように形作られるファスナアセンブリ。
【請求項２】
前記非対称性は、前記ファスナの両側面に、前記細長いファスナの長さの少なくとも一部に沿って縦方向に非対称性を備える請求項１に記載のファスナアセンブリ。
【請求項３】
前記ファスナの２つの両側面の輪郭は少なくとも１つの凹部をそれぞれ含む請求項１又は２に記載のファスナアセンブリ。
【請求項４】
前記非対称性は前記ファスナの２つの両側面の前記凹部に非対称性を備える請求項３に記載のファスナアセンブリ。
【請求項５】
前記非対称性は前記凹部の数に非対称性を備える請求項４に記載のファスナアセンブリ。
【請求項６】
前記支持カラーは、前記ファスナの一方の側面に１つの前記凹部と、前記ファスナの反対の側面に２つ以上の前記凹部と、を有する請求項５に記載のファスナアセンブリ。
【請求項７】
前記支持カラーは、前記ファスナの一方の側面に２つの前記凹部と、前記ファスナの反対の側面に３つ以上の前記凹部と、を有する請求項５に記載のファスナアセンブリ。
【請求項８】
前記非対称性は前記凹部の位置に非対称性を備える請求項４〜７のいずれか１項に記載のファスナアセンブリ。
【請求項９】
前記非対称性は前記凹部の形状に非対称性を備える請求項４〜８のいずれか１項に記載のファスナアセンブリ。
【請求項１０】
前記非対称性は前記凹部のサイズに非対称性を備える請求項４〜９のいずれか１項に記載のファスナアセンブリ。
【請求項１１】
前記非対称性は前記凹部の向きに非対称性を備える請求項４〜１０のいずれか１項に記載のファスナアセンブリ。
【請求項１２】
前記凹部は、前記ファスナの長さの一部に沿って前記ファスナの２つの両側面の間で交互に配置される請求項３〜１１のいずれか１項に記載のファスナアセンブリ。
【請求項１３】
前記ファスナの一方の側面の１つの前記凹部の少なくとも一部は、前記ファスナの反対の側面の２つの前記凹部の少なくとも一部の間に位置決めされる請求項３〜１２のいずれか１項に記載のファスナアセンブリ。
【請求項１４】
少なくとも１つの前記凹部は縦断面において略Ｖ字形である請求項３〜１３のいずれか１項に記載のファスナアセンブリ。
【請求項１５】
前記支持カラーは、その一端又はその両端に、前記細長いファスナの一部を実質的に取り囲む端面を含む請求項１〜１４のいずれか１項に記載のファスナアセンブリ。
【請求項１６】
前記支持カラーはその一端又はその両端にフランジを含む請求項１〜１５のいずれか１項に記載のファスナアセンブリ。
【請求項１７】
前記フランジは実質的に環状であって前記細長いファスナの一部を取り囲む請求項１６に記載のファスナアセンブリ。
【請求項１８】
前記端面又は前記フランジは前記細長いファスナの縦軸線に対して垂直ではない請求項１５〜１７のいずれか１項に記載のファスナアセンブリ。
【請求項１９】
前記支持カラーの縦軸線からの両方の輪郭の最大距離は実質的に同一である請求項１〜１８のいずれか１項に記載のファスナアセンブリ。
【請求項２０】
請求項１〜１９のいずれか１項に記載のファスナアセンブリを複数備えるファスナストリップであって、各前記支持カラーは、当該ファスナストリップ内で１つの又は２つの隣接する前記支持カラーに結合されるファスナストリップ。
【請求項２１】
非対称性を備える輪郭は前記ストリップの両側面にある請求項２０に記載のファスナストリップ。
【請求項２２】
当該ファスナストリップはほぼ直線である請求項２０又は２１に記載のファスナストリップ。
【請求項２３】
前記細長いファスナは相互にほぼ平行であるものの、各前記支持カラーは、当該ファスナストリップ全体が前記細長いファスナに対して傾斜するようにその隣接する前記支持カラーに対して縦方向にずれている請求項２０〜２２のいずれか１項に記載のファスナストリップ。
【請求項２４】
ファスナ打ち込み工具及びファスナアセンブリ又はファスナストリップの組み合わせであって、前記ファスナ打ち込み工具はファスナ供給通路を有しており、前記ファスナ供給通路は、その両側面に互いに対して非対称の輪郭を備えており、及び、前記ファスナアセンブリ又は前記ファスナストリップは前記ファスナ供給通路内にぴったりはまって配置構成されるファスナ打ち込み工具及びファスナアセンブリ又はファスナストリップの組み合わせ。
【請求項２５】
前記ファスナアセンブリ又は前記ファスナストリップは、請求項１〜２３のいずれか１項に記載のファスナアセンブリ又はファスナストリップである請求項２４に記載の組み合わせ。
【発明の詳細な説明】
【技術分野】
【０００１】
本発明は、釘、ピン、ねじ釘などのような細長いファスナのための支持具及び支持カラーと、細長いファスナに装着されたそうした支持具及び支持カラーを備えるファスナアセンブリと、に関する。本発明は特に、そうしたファスナアセンブリのストリップに関し、前記ストリップでは、支持カラーが相互に結合されており、その結果、一列に整列したファスナのストリップが提供される。本発明は、そうしたファスナアセンブリストリップのためのファスナ打ち込み工具にも関する。
【背景技術】
【０００２】
ファスナ打ち込み工具の多くは、工具からワークピース内にファスナを打ち込むためにファスナに対して急速に前進させられる駆動体を含んでいる。駆動体は、例えばピストン、又はラム（衝撃部材）を備えることがある。駆動体は、例えば、（限定されないものの）空圧、燃焼、ストラップ又はチェーン、分離したピストン、又は、１以上のフライホイールなどによる様々な方法のいずれかで前進させられることが可能である。
【０００３】
ファスナ打ち込み（又は発射）工具は、長年にわたって、工具から打ち込まれるか又は発射されるファスナのためのマガジン（すなわち、保持供給装置）を含んでいた。そうしたマガジンには様々な知られたタイプがあり、当該タイプは、ばらばらのファスナを格納して供給するために配置構成されたマガジン、ファスナの渦巻きストリップのためのマガジン、ファスナの真っ直ぐな又は湾曲したストリップのためのマガジンを含む。
【０００４】
特許文献１は、一列に整列した細長いファスナのストリップを開示しており、前記ストリップでは、ポリマー材料から成形されたキャリヤが各ファスナのためのスリーブを有する。各スリーブは、環状部分と、スリーブによって把持されたファスナがファスナ打ち込み工具から打ち込まれる際に２つの区画に破断する易破断部分と、を有する。易破断部分は、横方向に対向していて外側に向かって開いた連続的に湾曲した凹状の１対の類似の凹部を有しており、前記凹部は開放窓を有しており、前記開放窓からファスナの一部が現れる。ファスナ打ち込み工具では、案内装置の平行なリブ同士の間にストリップを案内するために、そうした凹部内にリブがぴったりはまっている。使用時、一列に整列したファスナのストリップは、ファスナ打ち込み領域に向かって徐々に前進し、その結果、先頭のファスナ及びそのファスナのスリーブが工具からワークピース内に打ち込まれる。
【０００５】
特許文献２は、間隔をあけた平行な関係に複数のファスナをそのファスナのシャンクで保持するためのキャリヤを開示しており、前記キャリヤは細長い柔軟なストリップを備えている。ストリップは、ファスナのシャンクから横方向に間隔をあけたウェブと、各ファスナのシャンクを支持するために、ウェブの上側縁及び下側縁に沿ってウェブにほぼ垂直に延びる複数の溝付きフランジと、を備える。この配置構成では、各ファスナがファスナ打ち込み工具から打ち込まれる時にファスナがキャリヤストリップから分離され、そしてキャリヤストリップは工具に取り付けられたまま残る。
【０００６】
特許文献３は、電動式釘打ち込み装置に供給されるべき釘を支持して位置決めするための釘キャリヤを開示している。キャリヤは剛性プレートを備えており、前記剛性プレートは、平行に間隔をあけた２列に配列される第１群の剛性スタッドと、他のその２列に平行な１列に配列される第２群の緩衝スタッドと、をその上面に有しており、そのプレートの下面から補強フランジが延びている。第２群の１つのスタッドに関連する第１群の２つのスタッドは釘の位置決めを提供しており、このことが釘キャリヤに沿って繰り返される。
【先行技術文献】
【特許文献】
【０００７】
【特許文献１】米国特許第５０６９３４０号明細書
【特許文献２】米国特許第３４３８４８７号明細書
【特許文献３】米国特許第３８３０３６４号明細書
【発明の概要】
【発明が解決しようとする課題】
【０００８】
本発明は、改良されたファスナの支持具及び支持カラー、ファスナアセンブリ、支持カラー及びアセンブリのストリップ並びにファスナ打ち込み工具を提供することを試みる。
【課題を解決するための手段】
【０００９】
第１の様相では、本発明は、細長いファスナと、ファスナに装着される支持カラーと、を備えるファスナアセンブリを提供し、支持カラーは、ファスナの両側面に互いに対して非対称の輪郭を有するように形作られている。
【００１０】
本発明の第２の様相は細長いファスナのための支持カラーを提供し、支持カラーは、支持カラーの縦軸線の両側に互いに対して非対称の輪郭を有するように形作られている。使用時、支持カラーは、ファスナが支持カラーの縦軸線に沿って延びるように細長いファスナ上（すなわち周囲）に装着される。
【００１１】
（本発明の第１の様相又は第２の様相の）支持カラーは１つの部品を備えているものの、本発明のいくつかの実施形態では、支持カラーは、少なくともファスナに装着される時に支持カラーを形成するために結合する２つ以上の分離した部品を好適に備える。例えば、支持カラーは、少なくともファスナに装着される時に非対称の輪郭を提供するために結合する２つの分離したカラー構成要素を備えてよい。
【００１２】
支持カラーの一方の側面の「輪郭」によって、その側面にほぼ垂直な方向から見た時の支持カラーのその側面の外形、すなわち、縦断面において見た時の側面の外形が示される。
【００１３】
好適には、ファスナの両側面（すなわち、支持カラーの縦軸線の両側）における支持カラーの輪郭の非対称性は、細長いファスナの長さ（縦軸線）の少なくとも一部に沿って縦方向の非対称性を備える。好適には支持カラーの縦軸線からの両方の輪郭の最大距離はほぼ同一である。
【００１４】
ファスナの２つの両側面における輪郭は少なくとも１つの凹部を好適にそれぞれ含む。前記非対称性はファスナの２つの両側面における凹部に非対称性を好適に備える。
【００１５】
本発明の利点は、支持カラーの両側面（及び従ってファスナの両側面）における輪郭の非対称性が、ファスナアセンブリが間違った向きでファスナ打ち込み工具内に挿入されること、及び、ファスナアセンブリが間違った向きでファスナ打ち込み工具から打ち込まれること、の少なくともいずれかを防止することに役立ち得ることである。例えば、ファスナマガジン内及びファスナ打ち込み工具のノーズピースの一部内の少なくともいずれか一方の通路は、本発明の支持カラーを（例えばファスナのための出口通路に向かって）案内するために配置構成された対応の非対称の輪郭を備えており、前記非対称の輪郭には支持カラーの非対称の輪郭がぴったりはまるように配置構成されている。こうして、ファスナアセンブリの両側面における対称性の欠如は、工具に対する正しい向きで工具内にファスナアセンブリを挿入することを使用者に要求することが可能であり、及び、このようにして、工具内でのファスナアセンブリの詰まりの可能性を低下させることなどが可能である。
【００１６】
本発明の別の可能な利点は、輪郭の非対称性が、ファスナ打ち込み工具内（例えばマガジン内及びノーズピース内の少なくともいずれか）においてファスナアセンブリの改良された案内を提供することに役立ち得ることである。例えば、上述された特許文献１に開示されたファスナアセンブリの配置構成では、支持カラーは、ファスナの両側面において対称の輪郭を有しており、各側面で同一の位置に同一に形作られた１つの凹部を有しており、前記凹部の各々はファスナ打ち込み工具の通路内のそれぞれの１つの突出リブと協働する。このような配置構成、特に、ファスナアセンブリの各側面に１つの同一の凹部がある配置構成は、（例えば、それぞれの突出リブ周りで回転するファスナアセンブリの凹部によって）ファスナアセンブリのねじれを時々防止することができず、その結果、工具内でファスナアセンブリを詰まらせる結果を生じる。対照的に、非対称の輪郭を有するファスナアセンブリが使用される場合、このことは、より良好な案内の可能性がねじれの発生を防止することを可能にする。例えば、ファスナアセンブリが一方の側面に２つの凹部及び反対の側面に１つの凹部（又は３つの凹部）を備えている場合、それぞれの突出リブ周りでファスナアセンブリの凹部が回転する危険性はより少なくなり得るし、及び従って詰まりの危険性はより少なくなり得る。一方の側面に１つの凹部を設けて反対の側面に２つの凹部を設けることが、例えば、これを達成する特に単純で簡便な方法である。
【００１７】
本発明のさらに可能な利点は、ファスナ打ち込み工具からファスナが打ち込まれた後の使用時のファスナの性能に関する。特許文献１で説明されているように、ファスナアセンブリの支持カラーの少なくとも一部が、ファスナがワークピース内に打ち込まれた後にファスナ上に保持されることがたいてい好ましいことである。このことは、（例えば）釘又はピンのヘッド及びワークピースの間の支持カラーの少なくとも一部の存在がヘッド及びワークピースの間で間隙の発生を防止し得る（従って基材へのワークピースのさらに確実な取り付けを提供する）ので、有利である。その上、支持カラーによって提供されたいくらかの弾性的な圧縮性が、長い時間をかけた（例えば振動などに起因する）そうした間隙の発生又は拡大を防止し得る。特許文献１に開示された対称の支持カラーのタイプの不利な点は、ファスナに取り付けられたままの支持カラーの一部が、どちらかというと低い弾性的な圧縮性を有する材料の環状ブロックであることである。対照的に、本発明の少なくとも一部非対称の支持カラーによって、支持カラーの形状から追加の弾性的な圧縮性（すなわち「弾力性」）を提供することが可能であり得る。このことは以下にさらに説明されるであろう。
【００１８】
上述のように、ファスナの２つの両側面の輪郭は少なくとも１つの凹部をそれぞれ含んでよい。こうして非対称性は凹部の数に非対称性を備え得る。例えば、支持カラーは、ファスナの一方の側面に１つの凹部を有してファスナの反対の側面に２つ以上の凹部を有すること、又は、ファスナの一方の側面に２つの凹部を有してファスナの反対の側面に３つ以上の凹部を有することがある。他の数の凹部が可能である。
【００１９】
追加として又は代わりに、非対称性は、凹部の位置、形状、サイズ及び向きの少なくともいずれか１つに非対称性を備え得る。例えば、ファスナの反対の側面の凹部は、相互にずれた配列又は交互の配列を有してよい。本発明の好適な実施形態では、凹部は、ファスナの２つの両側面の間でファスナの長さの一部に沿って交互に配置される。例えば、ファスナの一方の側面の１つの凹部の少なくとも一部が、ファスナの反対の側面の２つの凹部の少なくとも一部の間に位置決めされてよい。
【００２０】
好適には、少なくとも１つの凹部が縦断面において略Ｖ字形である。好都合には、各凹部が略Ｖ字形状であってよいものの、他の形状が可能である。各凹部がＶ字形状（又は他のなんらかの基本形状）である場合、ファスナの両側面の凹部はそれにも拘わらず異なる形状（例えば異なるＶ字形状）を有してよい。
【００２１】
支持カラーの両側面の各凹部は、支持カラーを通って延びる細長いファスナの一部を露出させる程に好適に十分に深い。しかしながら、本発明のいくつかの実施形態では、１つ以上の凹部が細長いファスナの一部を露出させないことも可能である。
【００２２】
本発明の第３の様相はファスナアセンブリを提供し、このファスナアセンブリは、細長いファスナと、ファスナに装着される支持具と、を備えており、支持具は、ファスナの２つの両側面において互いに対して非対称の輪郭を有するように形作られており、各輪郭は、支持具が装着される細長いファスナの一部を露出させる程に十分に深い少なくとも１つの凹部を含む。好適には支持具は支持カラーを備える。
【００２３】
支持カラーは、その一端又はその両端に、細長いファスナの一部を実質的に取り囲む端面を好適に含む。追加として又は代わりに、支持カラーはその一端又はその両端にフランジを含んでよい。好適には、フランジは、実質的に環状であり、及び、細長いファスナの一部を取り囲む。好都合には、端面又はフランジは細長いファスナの縦軸線に対して垂直ではない。例えば、端面又はフランジは、ファスナ又は支持カラーのストリップ全体の傾斜角とほぼ同一の角度で傾斜してよい（以下に説明される）。
【００２４】
本発明の第４の様相は、本発明の第１の様相に係るファスナアセンブリを複数備えるファスナストリップを提供し、前記ファスナストリップでは、各支持カラーは、ストリップ内で１つの又は２つの隣接する支持カラーに結合されている。
【００２５】
本発明の第５の様相は、本発明の第２の様相に係る支持カラーを複数備えるファスナ支持カラーのストリップを提供し、前記ストリップでは、各支持カラーは、１つの又は２つの隣接する支持カラーに結合されている。
【００２６】
（本発明の第４の様相の又は第５の様相の）支持カラーのストリップは、（例えば一体成形された）１つの部品を好適に備えてよいものの、本発明のいくつかの実施形態では、支持カラーのストリップは、少なくともファスナに装着された時に支持カラーのストリップを形成するために結合する２つ以上の分離した部品を備えてよい。例えば、支持カラーのストリップは、少なくともファスナに装着された時に、支持カラーのストリップを提供するために結合する２つの分離したストリップを備えてよい。
【００２７】
好適には、非対称の輪郭は、ファスナストリップの両側面に又はファスナ支持カラーのストリップの両側面にある。すなわち、非対称の輪郭は、（ストリップの隣接するカラーに隣接して位置する支持カラーの両側面よりもむしろ）ストリップの両側面を形成する支持カラーの両側面に好適に位置決めされる。好適には、ファスナストリップ又は支持カラーストリップでは、ストリップの一方の側面の支持カラーの輪郭は、相互に実質的に同一であり、及び、好適にはほぼ直線上に配列される。ストリップの反対の側面の支持カラーの輪郭は好適に相互に実質的に同一であり（しかしながら、ストリップの一番目の側面と対称性を欠如している）、及び、好適にはほぼ直線上に配列される。
【００２８】
本発明の第６の様相は、本発明の第３の様相に係るファスナアセンブリを複数備えており、前記ファスナアセンブリでは、各支持具がストリップ内で１つの又は２つの隣接する支持具に結合されている。支持具のストリップは、（例えば一体成形された）１つの部品を好適に備えてよいものの、本発明のいくつかの実施形態では、支持具のストリップは、少なくともファスナに装着された時に支持具のストリップを形成するために結合する２以上の分離した部品を備えてよい。
【００２９】
本発明の第７の様相はファスナ打ち込み工具とファスナアセンブリ又はストリップとの組み合わせを提供し、前記組み合わせでは、ファスナ打ち込み工具はファスナ供給通路を備えており、前記ファスナ供給通路は、その両側面で互いに対して非対称の輪郭を備えており、及び、ファスナアセンブリ又はストリップはファスナ供給通路内にぴったりとはまって配置構成される。好適には、ファスナアセンブリ又はストリップは、本発明の第１、第２、第３、第４、第５又は第６の様相に係るファスナアセンブリ又はストリップである。
【００３０】
好都合には、ファスナ及び支持カラーストリップは、ほぼ直線であってよく、又は、湾曲してよい。ファスナの軸線及び支持カラーの軸線は１つの平面内に好適に位置しており、及び、この平面内でストリップは例えば直線であるか又は湾曲してよい。好適には、前記軸線は相互にほぼ平行であり、その場合にストリップは概ね直線である。しかしながら、前記軸線は代わりに相互に非平行であってよく、その場合にはストリップは湾曲することがある。支持カラーは、当該支持カラー同士の間で縦方向にずれないように配列されるか（すなわち、支持カラーは直線の並びで相互に隣接しているか）、又は、例えばストリップ全体が細長いファスナ及び支持カラーの縦軸線に対して傾斜するように、各支持カラーが、その隣接した支持カラーに対して縦方向にずれてよい。
【００３１】
本発明の好適な実施形態が、添付の図面を参照して一例としてここに説明されるであろう。
【図面の簡単な説明】
【００３２】
【図１】本発明に係るファスナアセンブリが装填されたマガジンを有する本発明に係るファスナ打ち込み工具を示す図である。
【図２Ａ】本発明に係るファスナアセンブリのストリップの一方の側面を示す図である。
【図２Ｂ】本発明に係るファスナアセンブリのストリップの一方の側面を示す図である。
【図３Ａ】図２Ａ、Ｂに示されるようなファスナアセンブリのストリップの反対の側面を示す図である。
【図３Ｂ】図２Ａ、Ｂに示されるようなファスナアセンブリのストリップの反対の側面を示す図である。
【図４Ａ】図２Ａ、Ｂ及び図３Ａ、Ｂに示されるようなファスナアセンブリのストリップの一端を示す図である。
【図４Ｂ】図２Ａ、Ｂ及び図３Ａ、Ｂに示されるようなファスナアセンブリのストリップの一端を示す図であり、本発明に係るファスナ打ち込み工具のファスナ供給通路内に配置されたファスナストリップを示す図である。
【図５】図２Ａ、Ｂ、図３Ａ、Ｂ及び図４Ａ、Ｂに示されるようなファスナアセンブリのストリップのさらなる図である。
【発明を実施するための形態】
【００３３】
図１は、ファスナ打ち込み工具１を示しており、このファスナ打ち込み工具１は、ファスナ打ち込み機構を収容する本体３と、ハンドル５と、バッテリ７と、ノーズピース９と、ファスナマガジン１１と、を備える。ファスナマガジン１１には、本発明に係るファスナアセンブリの１以上のストリップ１５（概略的に示される）が装填されている。ワークピースに対する良好なアクセスしやすさを提供するためにノーズピース９に対して傾斜しているマガジンは、ファスナアセンブリを保持して、当分野で知られているように、バネ仕掛け式のプッシャ１３によってノーズピースにファスナアセンブリを供給する。
【００３４】
図２Ａ、Ｂ及び図３Ａ、Ｂは、本発明に係るファスナアセンブリ１７のストリップ１５の両側面を示している。各ファスナアセンブリ１７は、細長いファスナ１９（例えば釘又はピン）と、前記ファスナに装着された支持カラー２５と、を備えており、細長いファスナ１９は、ヘッド２１と、先の尖ったシャンク２３と、を備える。ファスナ１９は金属（例えば鋼）から標準的に形成されており、及び、支持カラー２５はポリマー材料から標準的に形成（特に成形）されている。
【００３５】
ファスナアセンブリ１７のストリップ１５は、ほぼ直線上に配列される支持カラー２５のストリップを備えており、各支持カラーは、１つの又は２つの隣接する支持カラーに結合されており、及び、それぞれの細長いファスナ１９が各支持カラー内に配置されている。隣接する支持カラー２５同士は易破断ウェブ２７によって相互に結合されている。実際には、易破断ウェブ２７を含む支持カラー２５のストリップは、１つの成形されたポリマー製品を備える。（従来と同様の）使用時、ストリップ１５の最後のファスナ１９がラム又は他の衝撃装置によって（図１に示される工具１などのような）工具から打ち込まれる時、ファスナ上に配置された支持カラー２５は、その隣接する支持カラーから強制的に切断され、ファスナ１９がその支持カラー２５とともに工具からワークピースに打ち込まれる。
【００３６】
ストリップ１５のファスナ１９はすべて相互に平行であるものの、各ファスナ１９及び各支持カラー２５は、その隣接するファスナ１９及び支持カラー２５に対して縦方向にずれており、その結果、ファスナアセンブリ１７のストリップ全体は、細長いファスナ及び支持カラーの縦軸線に対して傾斜している。このことは、ストリップ１５が、ファスナ打ち込み工具１の傾斜したマガジン１１にぴったりはまり得るようにするためである。
【００３７】
ストリップ１５の各支持カラー２５は、ファスナの両側面（及び、ストリップの両側面）で互いに対して非対称の輪郭を有するように形作られる。特に、各支持カラーの一方の側面（及び、各ストリップの一方の側面）は２つの凹部２９ａ及び２９ｂを有している一方で、各支持カラーの反対の側面（及び、各ストリップの反対の側面）は１つの凹部２９ｃを有している。凹部は、交互の関係を有しており（図４及び図５で最も容易に見えるように）、前記交互の関係では、ファスナの一方の側面の１つの凹部２９ｃの一部が、ファスナの反対の側面の２つの凹部２９ａ及び２９ｂの一部の間に位置決めされる。３つすべての凹部２９ａ、２９ｂ及び２９ｃは縦断面において略Ｖ字形であるものの（図４Ａ、Ｂ及び図５参照）、１つの凹部２９ｃの縦断面積（すなわち断面積）は、凹部２９ａ及び２９ｂの各々の縦断面積のそれの約２倍であり、その結果、２つの凹部２９ａ及び２９ｂの結合された縦断面積は１つの凹部２９ｃの縦断面積とほぼ同一である。各凹部２９ａ、２９ｂ及び２９ｃは、細長いファスナ１９のシャンク２３の一部が凹部によって露出する程に十分に深い。すべての凹部は、ストリップ１５全体の傾斜角とほぼ同一の傾斜角（描かれているように約１５°）で傾斜しており、及び、各凹部は、ストリップにおいて他の支持カラーの対応の凹部と一列に並んでいる。その上、各支持カラー２５は、カラーの各端部にフランジ３１を含んでおり、及び、各フランジも、ストリップ１５全体の傾斜角とほぼ同一の傾斜角で傾斜している。
【００３８】
縦断面において、各支持カラー２５は概ね文字「Ｍ」のように形作られる。この概略形状（コンサーティーナにいくらか類似している）は、ファスナアセンブリ１７がファスナ打ち込み工具１から打ち出される時にファスナのヘッド２１及びワークピースの間に使用時にある程度の弾性的な圧縮性（「弾力性」）を提供することに役立ち得る。ファスナアセンブリがワークピース内に打ち込まれる際にたとえ支持カラー２５の一部が裂けたとしても、支持カラーの一部（例えば「Ｍ」字形の縦断面の１つ又は２つの「Ｖ」字形状）が、たいてい残存することになり、こうして、（支持カラーの材料の単純なブロックの弾性的な圧縮性と比べて）追加の弾性的な圧縮性を提供する。
【００３９】
図４Ｂに示されるように、ファスナマガジン内及びファスナ打ち込み工具１のノーズピースの一部内の少なくともいずれか一方の通路３３は、（例えば支持カラー２５の非対称の輪郭に対応して）両側面に非対称の輪郭を備えており、すなわち、一方の側面に１対の突出リブ３５ａ及び３５ｂと、反対の側面に１つの突出リブ３５ｃと、を備えている。支持カラー２５の各凹部（及び従ってストリップ内で凹部の各並び線）は、通路３３のそれぞれの突出リブを収容するように配列されている。従って、ファスナアセンブリ１７の両側面の対称性の欠如は、工具に対する正確な向きで工具１内にファスナアセンブリを挿入することを使用者に要求し、及びこうして工具内でのファスナアセンブリの詰まりなどの可能性を低下させる。その上、協働するリブ及び凹部の交互の配列は、通路３３内でファスナアセンブリを良好に案内し、やはり工具内でのファスナアセンブリの詰まりの危険を低下させる。
【００４０】
上の説明及び図面が本発明の特定の例であるものの、本発明の他の例が特許請求の範囲の範囲に含まれることが理解されるであろう。
【符号の説明】
【００４１】
１    ファスナ打ち込み工具
１５    ファスナストリップ
１７    ファスナアセンブリ
１９    ファスナ
２５    支持カラー
２９ａ    凹部
２９ｂ    凹部
３１    フランジ
３３    ファスナ供給通路
【図１】
2011058627.tif 000003
【図２Ａ】
2011058627.tif 000004
【図２Ｂ】
2011058627.tif 000005
【図３Ａ】
2011058627.tif 000006
【図３Ｂ】
2011058627.tif 000007
【図４Ａ】
2011058627.tif 000008
【図４Ｂ】
2011058627.tif 000009
【図５】
2011058627.tif 000010